(57)【要約】【課題】商品広告や商品説明等の際に必要な部品数を減らすと同時に、収容された商品を陳列する際の作業性を向上しつつ、商品広告や商品説明等を見易くできるブリスターパックを提供する。【解決手段】被収容物を収容する凹部２を備え、上下端部と、左右端部の少なくとも一端部にスリット３が形成されたブリスターカバー４と、前記ブリスターカバー４の凹部２を塞ぐ閉鎖部５と、前記閉鎖部５から連続してスリット３を貫通する飛び出し片６とを備えた台紙７とからなる。【選択図】図１
2009241965.tif 000002
【特許請求の範囲】
【請求項１】
被収容物を収容する凹部（２）を備え、上下端部と、左右端部の少なくとも一端部にスリット（３）が形成されたブリスターカバー（４）と、
前記ブリスターカバー（４）の凹部（２）を塞ぐ閉鎖部（５）と、前記閉鎖部（５）から連続して前記スリット（３）を貫通する飛び出し片（６）とを備えた台紙（７）とからなることを特徴とするブリスターパック。
【請求項２】
前記ブリスターカバー（４）の上端部に前記スリット（３）が形成され、前記ブリスターカバー（４）の左右両端縁の背面側には前記台紙（７）の閉鎖部（５）の左右の側縁を止めるように折り返されている側部止めフラップ（８）が設けられ、前記ブリスターカバー（４）の下端縁の背面側には前記台紙（７）の閉鎖部（５）の下端部を止めるように折り返されている端部止めフラップ（９）が設けられていることを特徴とする請求項１に記載のブリスターパック。
【請求項３】
前記台紙（７）は前記閉鎖部（５）と飛び出し片（６）との間に折り目（１０）を有し、
前記飛び出し片（６）は、前記台紙（７）の折り目（１０）における端から中央に向かって切り込んだ切込部（１１）と、この切込部（１１）の奥端（１１ａ）を起点として飛び出し片（６）の先端側へ延びる衝立折り目（１２）に沿って折り返された衝立部（１３）とを備えていることを特徴とする請求項１又は２に記載のブリスターパック。
【請求項４】
前記スリット（３）は、前記ブリスターカバー（４）の上端部における左右両端部の間に、又は前記ブリスターカバー（４）の上端部における左右いずれか一方の端部の端縁から中途部まで切れ込みを入れることで、形成されていることを特徴とする請求項１〜３のいずれかに記載のブリスターパック。
【発明の詳細な説明】
【技術分野】
【０００１】
本発明は、商品を収容する凹部が形成されたブリスターカバーと、凹部を背面から塞ぐ台紙とを備えたブリスターパックに関する。
【背景技術】
【０００２】
従来、商品等を収容するために、被収容物を収容する凹部が形成されたブリスターカバーと、前記凹部を背面から塞ぐ台紙とからなり、前記ブリスターカバーの左右両端縁の背面側には台紙の左右の側縁を止めるように折り返されている側部止めフラップが設けられ、ブリスターカバーの上端縁又は下端縁の一方の背面側には台紙の上端部又は下端部を止めるように折り返されている端部止めフラップが設けられ、商品を凹部に収容して台紙を側部止めフラップ及び端部止めフラップで止めた後、前面側よりステープルを打ち込み、商品が脱落するのを防止するようにしている。
【０００３】
また、前記台紙の下端に開口部を備えたブリスターパックを用いて、商品を凹部に収容して台紙を側部止めフラップ及び端部止めフラップで止めた後、前記開口部を通して端部止めフラップを前後から溶着させ、商品が脱落するのを防止する技術が開示されている（特許文献１）。
しかしながら、いずれの構成でも、ブリスターパック上における商品広告や商品説明などのスペースが狭く、また見難いものとなっている。
一方、商品広告や商品説明などを見易くしたものとして、透明な可撓性帯体と、前記可撓性帯体の一端部に備えられ被貼付物に貼着される貼着部と、前記可撓性帯体の他端部に備えられた表示部とを備えた表示札を、ブリスターパック等の被貼付物に貼付して表示を行う技術が開示されている（特許文献２）。
【特許文献１】特開２００７−０６２７３９号公報
【特許文献２】特開２００４−３３３８８９号公報
【発明の開示】
【発明が解決しようとする課題】
【０００４】
しかしながら、このような構成では、ブリスターパックとは別部品として商品の広告内容又は商品の詳細説明などを記載した表示札を用意しなければならず、また、この表示札ブリスターパック等に別途貼付する必要があることから、商品陳列の際に作業効率が下がる。
かかる問題に鑑み、本発明は、商品広告や商品説明等の際に必要な部品数を減らすと同時に、収容された商品を陳列する際の作業性を向上できるブリスターパックを提供することを目的とする。
【課題を解決するための手段】
【０００５】
前記目的を達成するため、本発明は、以下の技術的手段を採用した。
第１に、被収容物を収容する凹部２を備え、上下端部と、左右端部の少なくとも一端部にスリット３が形成されたブリスターカバー４と、前記ブリスターカバー４の凹部２を塞ぐ閉鎖部５と、前記閉鎖部５から連続して前記スリット３を貫通する飛び出し片６とを備えた台紙７とからなることを特徴とする。
第２に、前記ブリスターカバー４の上端部に前記スリット３が形成され、前記ブリスターカバー４の左右両端縁の背面側には前記台紙７の閉鎖部５の左右の側縁を止めるように折り返されている側部止めフラップ８が設けられ、前記ブリスターカバー４の下端縁の背面側には前記台紙７の閉鎖部５の下端部を止めるように折り返されている端部止めフラップ９が設けられていることを特徴とする。
【０００６】
第３に、前記台紙７は前記閉鎖部５と飛び出し片６との間に折り目１０を有し、前記飛び出し片６は、前記台紙７の折り目１０における端から中央に向かって切り込んだ切込部１１と、この切込部１１の奥端１１ａを起点として飛び出し片６の先端側へ延びる衝立折り目１２に沿って折り返された衝立部１３とを備えていることを特徴とする。
第４に、前記スリット３は、前記ブリスターカバー４の上端部における左右両端部の間に、又は前記ブリスターカバー４の上端部における左右いずれか一方の端部の端縁から中途部まで切れ込みを入れることで、形成されていることを特徴とする。
【０００７】
これにより、台紙７自体に表示機能を持つ飛び出し片６を備えることで必要な部品数を少なくすることができる。また、商品広告又は商品説明などのために表示札を別途貼付する手間が省け、商品陳列時の作業性が向上する。
また、ステープル等を用いなくとも、飛び出し片６をスリット３に貫通させ保持させるだけで、簡単に台紙７の抜け止め効果を得ることができる。
さらに、衝立部１３によって飛び出し片６の前方への突出姿勢を保持させることで、飛び出し片６に記載した商品広告や商品説明などをより見易くできる。
【０００８】
そして、左右いずれか一方の側から飛び出し片６をスリット３に貫通させることで、台紙７をブリスターカバー４に取り付ける際の作業性を飛躍的に向上させることができる。
【発明の効果】
【０００９】
本発明によると、商品広告や商品説明等の際に必要な部品数を減らすと同時に、収容された商品を陳列する際の作業性を向上できる。
【発明を実施するための最良の形態】
【００１０】
以下、本発明の実施形態を、図面に基づいて説明する。
図１〜５には、本発明の第１実施形態に係るブリスターパック１が示されている。このブリスターパック１は、雑貨、工具、化粧品、家庭用品等の被収容物を収容する凹部２が形成されたブリスターカバー４と、凹部２を背面側に位置する台紙７とからなる。
ブリスターカバー４は、ＰＥＴ、ＰＶＣ等の樹脂製であり、適度の柔軟性を有する。略矩形の樹脂製のシートを真空成型することによって、ブリスターカバー４の略中央やや下寄りに、被収容物にあわせた大きさの略直方体状の凹部２が形成されている。
【００１１】
ブリスターカバー４の左右両端縁の背面側には、後述する台紙７の閉鎖部５における左右の側縁を止めるように折り返されている側部止めフラップ８が設けられ、ブリスターカバー４の下端縁の背面側には、後述する台紙７の閉鎖部５における下端部を止めるように折り返されている端部止めフラップ９が設けられている。また、各フラップ８、９は、凹部２を真空成型し打ち抜き加工をした後、折り曲げ加工をすることによってブリスターカバー４に一体的に形成される。なお、各フラップ８、９の折り返された平板状の部分は、ブリスターカバー４の前面に連続する側を下底とする平面視台形状で、ブリスターカバー４中央寄りの角がとれた形である。そのため、台紙７の閉鎖部５を各フラップ８、９に嵌めやすくなっている。
【００１２】
ブリスターカバー４の上端部における左右両端部の間には、後述する飛び出し片６を貫通させるスリット３が形成されている。スリット３は、左右方向に細長く延びた形状をしており、スリット３の中央上部には、上方向へ略楕円形状にスリット３を切り欠き成形した切欠部１４が設けられている。この切欠部１４にフック等を引っ掛けることによって、ブリスターパック１を吊り下げ展示することができる。また、スリット３の溝幅を台紙７の厚さ程度とした場合は、台紙７の折り目１０を上下からスリット３で保持できる。さらに、スリット３に切欠部１４を設けず、フック等を引っ掛けるための孔をブリスターカバー４に別途設けてもよい。
【００１３】
台紙７は、前述した凹部２を塞ぐ閉鎖部５と、スリット３を貫通する飛び出し片６とを備えている。また、飛び出し片６は折り目１０を介して揺動自在に閉鎖部５の上端縁に連続して設けられている。
閉鎖部５は、細長い略矩形であり、ブリスターカバー４の凹部２を背面側から塞ぐ。また、閉鎖部５は、その左右の側縁における上下方向の中央付近から上端縁にかけて先細り形状となっており、閉鎖部５の上端縁の長さは、対向する左右の側部止めフラップ８の間の距離よりも短くなっている。これにより、閉鎖部５の左右の側縁を側部止めフラップ８で止めた状態であっても、折り目１０及び飛び出し片６を背面側へ引き出すことができ、飛び出し片６をスリット３に貫通させ易くなっている。
【００１４】
飛び出し片６は、細長い略矩形であり、ブリスターカバー４の前面側に垂れ下がり凹部２に覆い被さる。また、飛び出し片６は、折り目１０の両端から中央に向かって切り込んだ切込部１１と、この切込部１１の奥端（中央側端部）１１ａを起点とする衝立折り目１２に沿って折り返された衝立部１３とを備えている。衝立折り目１２は折り目１０と直交するように、切込部１１の奥端１１ａから飛び出し片６の先端側へ向けて延び、衝立部１３は衝立折り目１２に沿って下向きに折り返されている。この衝立部１３が支えとなって飛び出し片６の前方への突出姿勢を保持させることで、飛び出し片６に記載した商品広告や商品説明などをより見易くできる。さらに、販売促進等のために、商品にあわせて飛び出し片６の形状を変えることができる。なお、飛び出し片６の先端付近には凹部２に収容された商品の一部を見せる窓１５が設けられ、飛び出し片６の先端はスリット３に貫通し易くするため角が取れた形状となっている。
【００１５】
続いて、本発明の第１実施形態の使用態様を説明する。
ブリスターパック１に商品を収容する際には、ブリスターカバー４の凹部２に商品を入れて、台紙７の閉鎖部５における左右の側縁をブリスターカバー４の上端側から左右の側部止めフラップ８に嵌めてスライドさせながら、飛び出し片６の先端を背面側から前面側へスリット３に貫通させる。折り目１０とスリット３とが重なるまで飛び出し片６を貫通させた後、衝立部１３を衝立折り目１２に沿って下向きに折り返す。この状態において、飛び出し片６の前方への突出姿勢が保持されるとともに、飛び出し片６がブリスターカバー４の前面側に垂れ下がり凹部２に覆い被さる。
【００１６】
前方へ突出した飛び出し片６に商品の広告内容や商品の詳細な説明等を記載することによって、販売促進等に必要な部品数を少なくすることができる。さらに、商品広告又は商品説明などのために表示札を別途貼付する手間が省け、商品陳列時の作業性が向上する。また、飛び出し片６をスリット３に貫通させることによって台紙７の動きが規制され、台紙７はブリスターカバー４と確実に係合し、台紙７の抜け止めがなされ、商品の脱落防止に効果を発揮する。また、台紙７の抜け落ちを防止するために別途ステープルなどの器具もしくは部材を用いる必要がなくなり、台紙７を固定する際の作業性を向上させると同時に、簡単に抜け止めの効果を得られる。さらに、スリット３の中央上部に上下方向に幅広な切欠部１４が設けられているため、飛び出し片６をスリット３に貫通させる際の注意力が緩和され、台紙７をブリスターカバー４に取り付ける際の作業性が向上する。
【００１７】
続いて、本発明の第２実施形態を説明する。
図６には、本発明の第２実施形態に係るブリスターパック１が示されている。
第２実施形態に係るブリスターパック１が第１実施形態と最も異なるところは、スリット３が、ブリスターカバー４の上端部における左端縁から中途部まで切れ込みを入れることで形成され、飛び出し片６が、スリット３に貫通可能な位置で、且つ閉鎖部５の左端寄りの上端縁に形成されている点にある。
スリット３は、ブリスターカバー４の上端部における左端縁から中途部（例えば、ブリスターカバー４の左右方向における長さの略６分の１）まで切れ込みを入れることで左右方向に細長く延びるように形成されている。また、スリット３の上部側には、スリット３の右端を基点として前後方向に揺動可能な舌片部１６が形成されている。これによって、左側から飛び出し片６をスリット３に貫通させることができる。
【００１８】
つまり、舌片部１６の後側に位置する飛び出し片６を前側に押し込むだけで、舌片部１６を前側にめくりながら飛び出し片６を舌片部１６の左側から通過させて、飛び出し片６をスリット３に貫通させた状態にすることができる。
なお、スリット３の長さは飛び出し片６の基端側における左右方向の長さよりもやや長く設定されており、舌片部１６の揺動範囲が広くなり、より前側に舌片部１６をめくることができる。また、舌片部１６の左右方向の長さはスリット３の長さよりもやや短く設定されており、スリット３はその右端から左端にかけて左右方向末広がりになっているため、左側から飛び出し片６をスリット３に貫通させやすくなっている。また、舌片部１６の左上下端は角が取れた形状となっており、さらに飛び出し片６を貫通させ易くなっている。
【００１９】
飛び出し片６は、折り目１０を介して揺動自在に、左側からスリット３に貫通可能な位置であって閉鎖部５における左端寄りの上端縁に連続して設けられている。飛び出し片６は細長い略矩形であり、スリット３に貫通し、ブリスターカバー４の前面側に垂れ下がる。また、飛び出し片６は、右側にのみ切込部１１、衝立折り目１２及び衝立部１３を備えている。この衝立部１３が支えとなって飛び出し片６の前方への突出姿勢を保持させることで、飛び出し片６に記載した商品広告や商品説明などをより見易くできる。
なお、第２実施形態においては、スリット３に切欠部１４を設けず、ブリスターカバー４の上端部中央には、フック等を引っ掛けるためのフック孔１７を別途設けている。また、閉鎖部５の上端部におけるフック孔１７に対応する位置には、フック孔１７に連通する連通孔１８を設けている。
【００２０】
続いて、本発明の第２実施形態の使用態様を説明する。
第２実施形態における使用態様が第１実施形態と最も異なるところは、左側から飛び出し片６をスリット３に貫通させる点である。
つまり、第１実施形態においては、閉鎖部５をスライドさせると同時に飛び出し片６をスリット３に貫通させなければならなかったが、第２実施形態に係るブリスターパック１は、まず閉鎖部５の下端部が端部止めフラップ９によって止められるまで閉鎖部５を下方向へスライドさせ、その後、飛び出し片６を舌片部１６の左側を通過させるだけで、非常に簡単に飛び出し片６をスリット３に貫通させることができる。
【００２１】
したがって、飛び出し片６をスリット３に貫通させる際の注意力が緩和され、台紙７をブリスターカバー４に取り付ける際の作業性が飛躍的に向上する。
また、台紙７のブリスターカバー４への取り付けは非常に簡単であるにもかかわらず、飛び出し片６をスリット３に貫通させることによって、台紙７はブリスターカバー４と非常に堅固に係合し、台紙７の抜け止め効果が十分に得られる。
なお、本発明は、前述した実施形態に限定されるものではない。
ブリスターカバー４は、左右両端縁の側部止めフラップ８及び下端縁の端部止めフラップ９を設けず、飛び出し片６をスリット３に貫通させた後、ステープル等により閉鎖部５とブリスターカバー４とを固定することで、台紙７の抜け落ちを防止してもよい。また、左右の側部止めフラップ８のみを設け、別途ステープルなどの器具もしくは部材を用いず、台紙７の抜け落ちを防止してもよい。
【００２２】
また、スリット３は、ブリスターカバー４の上端部の他に、下端部、左端部、右端部のうちいずれか一端部または複数の端部に形成されていてもよい。また、スリット３における長手方向の向きは、ブリスターカバー４の左右方向に対して斜め又は直交していてもよい。
さらに、スリット３を、ブリスターカバー４の右端縁等いずれかの周端縁から中途部まで切れ込みを入れることで左右方向等に細長く延びるように形成されたものとしてもよい。また、スリット３の切れ込む深さは、ブリスターカバー４の左右方向等における長さの略２分の１などであってもよい。また、このときフック孔１７をブリスターカバー４の左端寄りの上端部（つまり、スリット３が切れ込まれた周端縁とは反対側にある端部）等に設け、連通孔１８を閉鎖部５の上端部等におけるフック孔１７に対応する位置に設けていてもよい。
【００２３】
一方、飛び出し片６は、閉鎖部５の上端縁の他に、下端縁、左端縁、右端縁のうちいずれか一端縁または複数の端縁に形成されていてもよい。また、スリット３と同様に、折り目１０は、閉鎖部５及び飛び出し片６の左右方向に対して斜め又は直交していてもよい。  さらに、スリット３が右端縁等いずれかの周端縁から中途部まで切れ込みを入れることで形成されていた場合、飛び出し片６は、スリット３に貫通可能な位置で、且つ閉鎖部５における右端寄りの上端縁等いずれかの周端縁に形成されていてもよい。
また、スリット３における切欠部１４は、スリット３の左右両端から上方向へ略三角形又は台形状に切り欠き成形していてもよい。
【００２４】
さらに、スリット３に貫通させた飛び出し片６を上向きに曲げ、窓１５にフック等を引っ掛けることによって、ブリスターパック１を吊り下げ展示することとしてもよい。
そして、衝立折り目１２は、切込部１１の奥端１１ａから飛び出し片６の先端側へ向けて折り目１０に対し斜めに形成されていてもよい。また、衝立部１３は、衝立折り目１２に沿って上向きに折り返されていてもよい。
ブリスターパック１等の各構成または全体の構造、形状、寸法などは、本発明の趣旨に沿って適宜変更することができる。
【図面の簡単な説明】
【００２５】
【図１】本発明の第１実施形態を示す斜視図。
【図２】ブリスターカバーの背面側及び台紙の正面側を示す斜視図。
【図３】台紙の正面図。
【図４】ブリスターパックの側面図。
【図５】ブリスターパックの上部の側面断面図。
【図６】本発明の第２実施形態を示す分割正面図。
【符号の説明】
【００２６】
１      ブリスターパック
２      凹部
３      スリット
４      ブリスターカバー
５      閉鎖部
６      飛び出し片
７      台紙
８      側部止めフラップ
９      端部止めフラップ
１０    折り目
１１    切込部
１１ａ  切込部の奥端
１２    衝立折り目
１３    衝立部
１６    舌片部
【図１】
2009241965.tif 000003
【図２】
2009241965.tif 000004
【図３】
2009241965.tif 000005
【図４】
2009241965.tif 000006
【図５】
2009241965.tif 000007
【図６】
2009241965.tif 000008